(57)【要約】  センサデータを提供する利用者にとって有益となる情報を生成して利用者に送信することができる移動通信装置および通信方法を提供することを目的とする。本発明にかかる移動通信装置１０は、周辺エリアに存在するセンサ機器５０と、サーバ装置７０との通信を中継する移動通信装置１０であって、センサ機器５０から、センサ機器５０を装着するユーザの生体情報を受け取る生体情報受信部２０と、移動通信装置１０における状態変化を検出するセンサ部３０と、生体情報と状態変化に関する情報とを、公衆ネットワーク６０を介してサーバ装置７０へ送信し、送信された情報とを用いてサーバ装置７０において生成された健康管理情報を受信する公衆ネットワーク通信部４０とを備え生体情報受信部２０は、健康管理情報を、センサ機器５０へ表示させるためにセンサ機器５０へ送信するものである。
2012098601.tif 000002
【特許請求の範囲】
【請求項１】
周辺エリアに存在するセンサ機器と、公衆ネットワークに接続されているサーバ装置との間の通信を中継する移動通信装置であって、
前記センサ機器から、当該センサ機器を装着するユーザの生体情報を受け取る生体情報受信手段と、
前記移動通信装置に内蔵され、当該移動通信装置における状態変化を検出するセンサ手段と、
前記生体情報と、前記移動通信装置における状態変化に関する情報とを、前記公衆ネットワークを介して前記サーバ装置へ送信し、前記生体情報と前記移動通信装置における状態変化に関する情報とを用いて当該サーバ装置において生成された健康管理情報を受信する公衆ネットワーク通信手段と、を備え、
前記生体情報受信手段は、前記公衆ネットワーク通信手段において受信した健康管理情報を、前記センサ機器へ表示させるために前記センサ機器へ送信する、移動通信装置。
【請求項２】
前記生体情報受信手段は、
前記センサ機器と無線通信を行い、前記センサ機器から生体情報を受け取り、前記サーバ装置において生成された前記健康管理情報を、前記センサ機器へ送信する、請求項１記載の移動通信装置。
【請求項３】
前記センサ機器からｈｔｔｐメッセージを用いたアクセスを受け付け、前記サーバ装置から前記公衆ネットワーク通信手段を介してｈｔｔｐメッセージを用いたアクセスを受け付けるアクセス管理手段をさらに備える請求項１又は２記載の移動通信装置。
【請求項４】
前記アクセス管理手段は、
前記サーバ装置から前記生体情報及び前記移動通信装置における状態変化に関する情報の送信要求があった場合に、前記生体情報及び前記移動通信装置における状態変化に関する情報を、前記公衆ネットワーク通信手段を介して、前記サーバ装置へ送信する、請求項３記載の移動通信装置。
【請求項５】
前記アクセス管理手段は、
前記公衆ネットワーク通信手段を介して受信した健康管理情報を、前記ｈｔｔｐメッセージを用いてアクセスを行う外部通信機器から閲覧可能なＷｅｂコンテンツに関連付けて管理する、請求項３又は４に記載の移動通信装置。
【請求項６】
前記アクセス管理手段は、
前記センサ機器から送信されるＡＰＩ実行指示に基づいて、前記ユーザの生体情報と、前記移動通信装置における状態変化に関する情報とを、前記公衆ネットワーク通信手段を介して前記サーバ装置へ送信する、請求項３乃至５のいずれか１項に記載の移動通信装置。
【請求項７】
前記アクセス管理手段は、前記サーバ装置から送信されるＡＰＩ実行指示に基づいて、前記ユーザの生体情報と、前記移動通信装置における状態変化に関する情報とを、前記公衆ネットワーク通信手段を介して前記サーバ装置へ送信する、請求項３乃至５のいずれか１項に記載の移動通信装置。
【請求項８】
周辺エリアに存在するセンサ機器と、公衆ネットワークに接続されているサーバ装置との間の通信を中継する移動通信装置における通信方法であって、
前記センサ機器から、当該センサ機器を装着するユーザの生体情報を受信し、
前記移動通信装置に内蔵され、当該移動通信装置における状態変化を検出し、
前記生体情報と、前記移動通信装置における状態変化に関する情報とを、前記公衆ネットワークを介して前記サーバ装置へ送信し、
前記生体情報と前記移動通信装置における状態変化に関する情報とを用いて当該サーバ装置において生成された健康管理情報を受信し、
前記受信した健康管理情報を、前記センサ機器へ表示させるために前記センサ機器へ送信する、通信方法。
【請求項９】
前記ユーザの生体情報を受信する際に、前記センサ機器からｈｔｔｐメッセージを用いたアクセスを受け付け、
前記健康管理情報を受信する際に、前記サーバ装置から前記公衆ネットワークを介してｈｔｔｐメッセージを用いたアクセスを受け付ける請求項８記載の通信方法。
【請求項１０】
前記サーバ装置から前記生体情報及び前記移動通信装置における状態変化に関する情報の送信要求があった場合に、前記生体情報及び前記移動通信装置における状態変化に関する情報を、前記公衆ネットワークを介して、前記サーバ装置へ送信する、請求項９記載の通信方法。
【請求項１１】
前記生体情報と、前記移動通信装置における状態変化に関する情報とを、前記公衆ネットワークを介して前記サーバ装置へ送信する際に、前記センサ機器から送信されるＡＰＩ実行指示に基づいて、前記ユーザの生体情報と、前記移動通信装置における状態変化に関する情報とを、前記公衆ネットワークを介して前記サーバ装置へ送信する、請求項９又は１０に記載の通信方法。
【請求項１２】
前記生体情報と、前記移動通信装置における状態変化に関する情報とを、前記公衆ネットワークを介して前記サーバ装置へ送信する際に、前記サーバ装置から送信されるＡＰＩ実行指示に基づいて、前記ユーザの生体情報と、前記移動通信装置における状態変化に関する情報とを、前記公衆ネットワークを介して前記サーバ装置へ送信する、請求項９又は１０に記載の通信方法。
【請求項１３】
移動通信装置の周辺エリアに存在するセンサ機器であって、
前記センサ機器を装着するユーザの生体情報を検出するセンサ手段と、
前記生体情報を前記移動通信装置へ送信し、前記生体情報と、前記移動通信装置における状態変化に関する情報とを用いて生成された健康管理情報を受信する通信手段と、
前記健康管理情報を表示する表示手段と、を備えるセンサ機器。
【請求項１４】
前記通信手段は、
前記移動通信装置と無線通信を行い、前記生体情報を送信し、前記健康管理情報を受信する請求項１３記載のセンサ機器。
【請求項１５】
前記通信手段は、
ｈｔｔｐメッセージを用いてＡＰＩ実行指示を前記移動通信装置に送信し、前記ＡＰＩ実行指示に基づいてＡＰＩが実行された結果生成される健康管理情報を受信する、請求項１３又は１４記載のセンサ機器。
【請求項１６】
周辺エリアに存在するセンサ機器と、公衆ネットワークに接続されているサーバ装置と、前記センサ機器と前記公衆ネットワークとの間の通信を中継する移動通信装置と、を備えるセンサネットワークシステムであって、
前記センサ機器は、
当該センサ機器を装着するユーザの生体情報を検出し、前記移動通信装置へ送信し、
前記移動通信装置は、
当該移動通信装置における状態変化を検出し、
前記生体情報と、前記移動通信装置における状態変化に関する情報とを、前記公衆ネットワークを介して前記サーバ装置へ送信し、
前記サーバ装置は、
前記生体情報と前記移動通信装置における状態変化に関する情報とを用いて健康管理情報を生成し、前記健康管理情報を、前記センサ機器へ表示させるために、前記移動通信装置を介して前記センサ機器へ送信する、センサネットワークシステム。
【発明の詳細な説明】
【技術分野】
【０００１】
本発明は移動通信装置及び通信方法に関し、特にセンサ機器とサーバ装置との通信を中継する移動通信装置と、その移動通信装置の通信方法に関する。
【背景技術】
【０００２】
近年、家電機器にセンサ機器及び通信機能等を搭載し、センサ機器が検出したセンサデータをサーバ装置において解析し、ユーザにとって有益な情報を提供するサービスが実施されている。例えば、ユーザが常時装着する腕時計に脈拍計、歩数計、体温計等のユーザの健康に関する情報を検出するセンサ機器を搭載し、サーバ装置は、センサ機器において検出された情報を解析し、健康診断、健康向上アドバイス等の情報提供サービスを行う。【０００３】
ここで、特許文献１は、小型血糖測定器を用いて測定した血糖値を、携帯電話を介してサーバ装置等へ送信する内容を開示している。具体的には、小型血糖測定機において測定した血糖値のデータを、携帯電話端末からサーバ装置等へ送信することができるフォーマットに変換する転送装置が用いられる。転送装置は、小型血糖測定器と携帯電話との間においてコネクタを接続して用いられる。【０００４】
また、特許文献２は、ＰＨＳ端末が、近距離無線通信によりイヤフォンにおいて検出された脳波等の生体データを受け取り、受け取った生体データを、ネットワークに接続されているサーバに送信するネットワークの構成について開示している。【０００５】
また、特許文献３は、利用者の健康状態を検出する健康状態検出センサによって検出された検出データを、携帯端末装置を介して監視装置へ送信するネットワークの構成について開示している。ここで、監視装置は、携帯端末装置の位置情報も併せて受け取る。これにより、監視装置を用いて利用者を監視している者は、利用者の健康状態が悪化した場合に、携帯端末装置の位置情報から、適切な医療機関に連絡を取ることができる。
【先行技術文献】
【特許文献】
【０００６】
【特許文献１】特開２００２−３６８９０７号公報
【特許文献２】特開２００３−３１０５６１号公報
【特許文献３】特開２００３−１９８７５９号公報
【発明の概要】
【発明が解決しようとする課題】
【０００７】
しかし、上記特許文献１は、小型血糖測定器と、携帯電話との間に専用の転送装置を装着して用いる必要があるため、血糖値データを送信する際に煩わしさを感じるという問題がある。ここで、特許文献２においては、生体データが近距離無線通信によりＰＨＳ端末へ送信されるため、特許文献１と比較して装置構成は簡略化される。しかし、特許文献２においては、イヤフォンを用いて生体データを検出する。イヤフォンは、頭に装着され、音楽を視聴する等の使用用途に限られるため、様々なセンサデータを検出することはできない。そのため、サーバは、限られたセンサデータを用いて解析をする必要があるため、利用者にとって有益な情報を得られない場合がある。また、特許文献３においては、監視装置は、健康状態検出センサによって検出された検出データと、携帯端末装置の位置情報を受け取っているが、位置情報は、携帯端末装置の位置を確認するためにのみ用いられおり、特許文献２と同様、利用者にとってより有益な情報を通知することができない場合がある。【０００８】
本発明は、このような問題を解決するために、センサデータを提供する利用者にとってより有益となる情報を生成して利用者に送信することができる移動通信装置および通信方法を提供することを目的とする。
【課題を解決するための手段】
【０００９】
本発明の第１の態様にかかる移動通信装置は、周辺エリアに存在するセンサ機器と、公衆ネットワークに接続されているサーバ装置との間の通信を中継する移動通信装置であって、前記センサ機器から、当該センサ機器を装着するユーザの生体情報を受け取る生体情報受信部と、前記移動通信装置に内蔵され、当該移動通信装置における状態変化を検出するセンサ部と、前記生体情報と、前記移動通信装置における状態変化に関する情報とを、前記公衆ネットワークを介して前記サーバ装置へ送信し、前記生体情報と前記移動通信装置における状態変化に関する情報とを用いて当該サーバ装置において生成された健康管理情報を受信する公衆ネットワーク通信部と、を備え、前記生体情報受信部は、前記公衆ネットワーク通信部において受信した健康管理情報を、前記センサ機器へ表示させるために前記センサ機器へ送信するものである。【００１０】
本発明の第２の態様にかかる通信方法は、周辺エリアに存在するセンサ機器と、公衆ネットワークに接続されているサーバ装置との間の通信を中継する移動通信装置における通信方法であって、前記センサ機器から、当該センサ機器を装着するユーザの生体情報を受信し、前記移動通信装置に内蔵され、当該移動通信装置における状態変化を検出し、前記生体情報と、前記移動通信装置における状態変化に関する情報とを、前記公衆ネットワークを介して前記サーバ装置へ送信し、前記生体情報と前記移動通信装置における状態変化に関する情報とを用いて当該サーバ装置において生成された健康管理情報を受信し、前記公衆ネットワーク通信部において受信した健康管理情報を、前記センサ機器へ表示させるために前記センサ機器へ送信するものである。【００１１】
本発明の第３の態様にかかるセンサ機器は、移動通信装置の周辺エリアに存在するセンサ機器であって、前記センサ機器を装着するユーザの生体情報を検出するセンサ部と、前記生体情報を前記移動通信装置へ送信し、前記生体情報と、前記移動通信装置における状態変化に関する情報とを用いて生成された健康管理情報を受信する通信部と、前記健康管理情報を表示する表示部と、を備えるものである。【００１２】
本発明の第４の態様にかかるセンサネットワークシステムは、周辺エリアに存在するセンサ機器と、公衆ネットワークに接続されているサーバ装置と、前記センサ機器と前記公衆ネットワークとの間の通信を中継する移動通信装置と、を備えるセンサネットワークシステムであって、前記センサ機器は、当該センサ機器を装着するユーザの生体情報を検出し、前記移動通信装置へ送信し、前記移動通信装置は、当該移動通信装置における状態変化を検出し、前記生体情報と、前記移動通信装置における状態変化に関する情報とを、前記公衆ネットワークを介して前記サーバ装置へ送信し、前記サーバ装置は、前記生体情報と前記移動通信装置における状態変化に関する情報とを用いて健康管理情報を生成し、前記健康管理情報を、前記センサ機器へ表示させるために、前記移動通信装置を介して前記センサ機器へ送信するものである。
【発明の効果】
【００１３】
本発明により、センサデータを提供する利用者にとってより有益となる情報を生成して利用者に送信することができる移動通信装置および通信方法を提供することができる。
【図面の簡単な説明】
【００１４】
【図１】実施の形態１にかかる移動通信装置の構成図である。
【図２】実施の形態１にかかる携帯電話端末、センサ機器及びサーバ装置の構成図である。
【図３】実施の形態１にかかるセンサデータの送信に用いられるフレームのデータフォーマットを示す図である。
【図４】実施の形態１にかかる健康情報提供サービスを受ける場合の処理の流れである。
【図５】実施の形態２にかかる健康情報提供サービスを受ける場合の処理の流れである。
【発明を実施するための形態】
【００１５】
（実施の形態１）
以下、図面を参照して本発明の実施の形態について説明する。図１を用いて本発明の実施の形態１にかかる移動通信装置の構成例について説明する。移動通信装置１０は、生体情報受信部２０と、センサ部３０と、公衆ネットワーク通信部４０とを備えている。また、移動通信装置１０は、無線通信によりセンサ機器５０と通信をおこなう。さらに、移動通信装置１０は、公衆ネットワーク６０を介して、サーバ装置７０と通信を行う。サーバ装置７０は、公衆ネットワーク６０と接続されている。
【００１６】
移動通信装置１０は、移動通信装置１０の周辺エリアに存在するセンサ機器５０と、公衆ネットワーク６０に接続されているサーバ装置７０との間の通信を中継する。移動通信装置１０は、例えば携帯電話端末又はスマートフォン端末等であり、通信機能を有し、持ち運びが容易な装置である。
【００１７】
生体情報受信部２０は、センサ機器５０と無線通信を行い、センサ機器５０を装着するユーザの生体情報を受け取る。生体情報とは、例えば、センサ機器５０を身につけている者の体温や、脈拍、心拍数、歩数、等であり、それぞれ体温計、脈拍計、歩数計等を用いて検出することができる。センサ機器５０は、例えば、体温計や、脈拍計、歩数計等であり、複数の計器の組み合わせでもよい。また、センサ機器５０は、体温計等を組み込んだ機器等でもよく、例えば、体温計が組み込まれた腕時計等でもよい。センサ機器５０は、無線通信を行うための通信機能を有する。
【００１８】
センサ部３０は、移動通信装置１０に内蔵されており移動通信装置１０の状態変化を検出する。例えば、センサ部３０は、ＧＰＳ装置であり、ＧＰＳ用アンテナ（図示せず）を介して、携帯電話端末１１が位置する緯度、経度情報を受け取ることができる。また、センサ７１は、加速度センサ、温度センサ等であってもよく、移動通信装置１０は、複数のセンサを内蔵することができる。状態変化とは、移動通信装置１０を有するユーザが行動することにより変化する状態である。例えば、状態変化とは、移動通信装置１０を有するユーザが移動した場合の位置状態の変化や、移動速度の変化等である。また、状態変化とは、移動速度の変化に基づくユーザの歩数情報や、徒歩、車移動等の移動手段の変化等であってもよい。
【００１９】
公衆ネットワーク通信部４０は、生体情報受信部２０において受け取った生体情報と、センサ部３０において検出した移動通信装置１０における状態変化に関する情報とを公衆ネットワーク６０を介してサーバ装置７０へ送信する。サーバ装置７０は、生体情報と、移動通信装置１０における状態変化に関する情報とを用いて、健康管理情報を生成する。
【００２０】
健康管理情報とは、ユーザが健康に生活するためのアドバイス情報である。例えば、サーバ装置７０は、センサ機器５０が検出した歩数データと、移動通信装置１０に内蔵されているセンサ部３０から、タイムスタンプのついた測地履歴情報を受け取る。この場合、センサ部３０は、ＧＰＳ機能を有する位置測定センサとする。サーバ装置７０は、歩数データと、タイムスタンプのついた測地履歴情報とから、信頼性の高い運動量を算出する。つまり、サーバ装置７０は、歩数データからのみではなく、測地履歴情報も用いて、正確な移動距離を得ることができるため、歩数データと移動距離とを用いて、信頼性の高い運動量を算出することができる。さらに、サーバ装置７０は、算出した運動量から、例えば次の日の運動量の目安として、「Ａ分かけて、Ｂ歩以上歩くこと」等の健康管理情報を生成する。
【００２１】
ここで、移動通信装置１０が公衆ネットワーク通信部４０を介して健康管理情報を受け取った後、生体情報受信部２０は、健康管理情報をセンサ機器５０へ表示させるために、健康管理情報をセンサ機器５０へ送信する。これにより、センサ機器５０を装着しているユーザは、センサ機器５０の表示部（図示せず）に表示された健康管理情報を確認することができる。
【００２２】
以上説明したように、図１にかかる移動通信装置１０を用いることにより、サーバ装置７０は、センサ機器５０において検出したユーザの生体情報と、移動通信装置１０に内蔵されているセンサ部３０において検出したセンサデータとを用いて健康管理情報を生成することができる。この場合、センサ機器５０において検出したユーザの生体情報を、移動通信装置１０の内蔵されているセンサ部３０において検出したセンサデータを用いて補正することができるため、的確な健康管理情報を生成することができる。
【００２３】
続いて、図２を用いて本発明の実施の形態１にかかる携帯電話端末１１、腕時計５１及びサーバ装置７０の構成例について説明する。図２においては、移動通信装置１０の具体例として携帯電話端末１１を用いて説明する。また、センサ機器５０の具体例として、腕時計５１を用いて説明する。
【００２４】
携帯電話端末１１は、生体情報受信部２０と、センサ部３０と、携帯センサ管理部３２と、公衆ネットワーク通信部４０と、外部アクセス管理部８１と、センサデータ統合管理部８２と、センサ情報記憶部８３と、を備えている。
【００２５】
公衆ネットワーク通信部４０は、図１における移動通信装置１０と同様であるため、詳細な説明を省略する。
【００２６】
生体情報受信部２０は、センサ機器５０と近距離無線通信を行い、センサ機器５０を装着するユーザの生体情報を受け取る。近距離無線通信とは、例えば赤外線を用いた通信や、Ｂｌｕｅｔｏｏｔｈ（登録商標）、Ｂｌｕｅｔｏｏｔｈ  Ｌｏｗ  Ｅｎｅｒｇｙ等を用いた通信である。又は、近距離無線通信は、ＷｉＦｉ等の無線ＬＡＮ通信が用いられてもよい。赤外線を用いた場合、数十センチメートル程度離れた通信機器と通信を行うことができる。また、Ｂｌｕｅｔｏｏｔｈを用いた場合、数十メートル程度離れた通信機器と通信を行うことができる。移動通信装置１０の周辺エリアとは、近距離無線通信を行うことができる範囲である。
【００２７】
センサ部３０は、携帯電話端末１１の位置情報を検出するＧＰＳ装置や、加速度センサ、温度センサ等である。携帯電話端末１１は、１つのセンサを内蔵してもよく、複数のセンサを内蔵してもよい。
【００２８】
携帯センサ管理部３２は、センサ部３０において検出されたセンサデータを受け取り、外部アクセス管理部８１へ出力する。また、携帯センサ管理部３２は、センサ部３０において検出されたセンサデータを一時保存し、複数のセンサデータが蓄積された際に、複数のセンサデータをまとめて外部アクセス管理部８１へ出力してもよい。
【００２９】
外部アクセス管理部８１は、Ｗｅｂサーバ機能（以下、端末内サーバと称する）を有し、公衆ネットワーク通信部４０を介してアクセスするサーバ装置７０や、生体情報受信部２０を介してアクセスする腕時計５１等の接続可否を判定する。たとえば、接続可能な機器の識別子が、予め外部アクセス管理部８１へ登録されていてもよい。サーバ装置７０や、腕時計５１等は、端末内サーバに設定されているＵＲＬ及びポート番号を指定し、携帯電話端末１１へアクセスする。また、外部アクセス管理部８１は、腕時計５１から送信されるセンサデータと、携帯電話端末１１に内蔵されているセンサ部３０が検出したセンサデータとをセンサデータ統合管理部８２へ出力する。例えば、腕時計５１が、「データを送信する」というｈｔｔｐメッセージを端末内サーバへ送信することにより、「過去２４時間分のセンサデータを受け渡す」というＡＰＩを実行するようにしてもよい。
【００３０】
センサデータ統合管理部８２は、受け取ったセンサデータを統合処理する。つまり、センサデータ統合管理部８２は、腕時計５１によって検出されたセンサデータと、センサ部３０において得られたセンサデータとを関連付けて統合データとしてセンサ情報記憶部８３へ保存する。例えば、腕時計５１においてユーザの脈拍データが検出され、センサ部３０において、携帯電話端末１１の加速度が検出された場合、センサデータ統合管理部８２は、脈拍データと、加速度とを関連付けてセンサ情報記憶部８３へ保存する。この場合、脈拍データ及び加速度が検出されたタイムスタンプデータも併せて記録し、タイムスタンプが一致する、もしくは、タイムスタンプの差が所定の範囲内であるデータ同士を関連づけるようにしてもよい。
【００３１】
また、外部アクセス管理部８１は、センサデータ統合管理部８２において統合処理され、センサ情報記憶部８３へ保存された統合データを、公衆ネットワーク通信部４０を介して、サーバ装置７０へ送信する。さらに、外部アクセス管理部８１は、統合データを用いて生成された健康管理情報をサーバ装置７０から受け取る。外部アクセス管理部８１は、受け取った健康管理情報を、生体情報受信部２０を介して、腕時計５１へ送信する。
【００３２】
続いて、腕時計５１の構成例について説明する。腕時計５１は、表示部５２と、センサ管理部５３と、センサ部５４と、通信部５５とを備えている。センサ部５４は、腕時計５１における状態変化に関する情報を検出する。例えば、センサ部５４が体温計機能を有する場合、腕時計５１を身につけているユーザの体温を検出する。また、センサ部５４は、上述したように脈拍計機能等を有してもよい。センサ部５４において検出されたセンサデータは、センサ管理部５３へ出力される。
【００３３】
センサ管理部５３は、センサ部５４から受け取ったセンサデータを通信部５５へ出力し、通信部５５を介して携帯電話端末１１へ送信する。センサ管理部５３は、センサデータを保存しておき、予め指定されたタイミングに、保持していたセンサデータを携帯電話端末１１へ送信してもよい。例えば、ユーザが一日行動して、夜に腕時計を外した際に、センサデータが携帯電話端末１１へ送信されてもよい。また、センサ管理部５３は、通信部５５を介して出力された健康管理情報を受け取る。センサ管理部５３は、受け取った健康管理情報を表示部５２へ出力する。表示部５２によって受け取った健康管理情報が表示されることにより、ユーザは、表示部５２に表示された健康管理情報を確認することができる。
【００３４】
ここで、図３を用いて、通信部５５から携帯電話端末１１へ送信されるセンサデータの送信に用いられるフレームのデータフォーマットについて説明する。センサデータは、例えば、機器ＩＤ、センサＩＤ、タイムスタンプ及びセンサデータを含んでいる。機器ＩＤは、センサ機器５０を識別するためのＩＤであり、例えば、腕時計５１を識別するためのＩＤである。センサＩＤは、センサ機器５０に内蔵されているセンサを識別するＩＤである。タイムスタンプは、センサデータ１及びセンサデータ２を検出した時間情報である。センサデータ１及びセンサデータ２は、例えば体温計であれば、体温情報等のデータである。
【００３５】
続いて、サーバ装置７０の構成例について説明する。サーバ装置７０は、データ保存部７１と、センサデータ管理分析部７２と、通信部７３と、を備えている。通信部７３は、公衆ネットワーク６０を介して、携帯電話端末１１と通信を行う。通信部７３は、携帯電話端末１１から、統合データを受け取る。通信部７３は、受け取った統合データをセンサデータ管理分析部７２へ出力する。
【００３６】
センサデータ管理分析部７２は、受け取った統合データを分析し、健康管理情報を生成する。以下に、健康管理情報の生成例について説明する。統合データに、腕時計５１において検出された脈拍数と、センサ部３０において検出された移動距離情報とが含まれている場合について説明する。腕時計５１は、センサ部５４に脈拍計を用いることにより、脈拍数を検出することができる。また、携帯電話端末１１は、センサ部３０にＧＰＳ装置を用いることにより、所定の期間における移動距離を検出することができる。センサデータ管理分析部７２は、所定の期間における移動距離と、その所定の期間における脈拍数の推移とを、統合データとして受け取る。センサデータ管理分析部７２は、受け取った統合データから、所定の期間に行った運動による心肺、循環器系への負荷、インパクト、効果等を解析する。
【００３７】
センサデータ管理分析部７２は、解析した結果、健康管理情報として、適切な運動量に関する情報を生成し、通信部７３を介して携帯電話端末１１へ送信する。また、センサデータ管理分析部７２において生成した情報は、データ保存部７１へ保存される。適切な運動量に関する情報とは、上述したように、例えば、「所定の期間かけて脈拍数をＡからＢへ上昇させるために、時速Ｃｋｍ程度の速度でジョギングすること」等である。
【００３８】
ここで、センサデータ管理分析部７２における、統合データの分析について、異なる例を用いて説明する。例えば、統合データに、腕時計５１において検出された血圧及び心拍数と、センサ部３０が加速度センサ及びＧＰＳであって、センサ部３０において検出された歩数情報及び位置情報とが含まれている場合、血圧及び心拍数に関する情報及び歩数情報から、水分補給を行うタイミングを推定する。さらに、位置情報から、周辺に自動販売機や、お店等が存在するか否かを判定することができる。これらの情報より、センサデータ管理分析部７２は、健康管理情報として、「そろそろ水分を取りましょう。５０メートル先に自動販売機があります」等を、生成することができる。
【００３９】
他の例として、例えば、統合データに、腕時計５１において検出された血圧及び心拍数と、他のセンサ機器として体脂肪計から携帯電話端末１１へ日々送信され、蓄積されている体脂肪情報とが含まれている場合、センサデータ管理分析部７２は、体脂肪の推移より、適切な運動量に関する情報を生成することができる。
【００４０】
また、センサデータ管理分析部７２は、上述したように生成された適切な運動量に関する情報を、ユーザが使用しているウォーキングマシン等へ送信し、ウォーキングマシンの速度や、運動強度等を自動制御してもよい。
【００４１】
続いて、図４を用いて本発明の実施の形態１にかかる健康情報提供サービスを受ける場合の処理の流れについて説明する。はじめに、腕時計５１のセンサ部５４は、センサ機能により状態変化を検出する（Ｓ１１）。次に、通信部５５は、センサ部５４において検出されたセンサデータを、近距離無線通信により携帯電話端末１１へ送信する（Ｓ１２）。次に、携帯電話端末１１は、生体情報受信部２０を介して、外部アクセス管理部８１における端末内サーバによりセンサデータを受け取る（Ｓ１３）。次に、センサデータ統合管理部８２は、腕時計５１から受け取ったセンサデータと、センサ部３０において検出されたセンサデータとを統合処理、つまり関連付けてセンサ情報記憶部８３へ統合データとして保存する（Ｓ１４）。また、センサデータ統合管理部８２は、統合データを外部アクセス管理部８１へ出力する。外部アクセス管理部８１は、公衆ネットワーク通信部４０を介してサーバ装置７０へ統合データを送信する（Ｓ１５）。サーバ装置７０のセンサデータ管理分析部７２は、受け取った統合データを分析し、健康管理情報を生成する（Ｓ１６）。
【００４２】
次に、センサデータ管理分析部７２は、通信部７３を介して、携帯電話端末１１へ健康管理情報を送信する（Ｓ１７）。健康管理情報とは、適切な運動量に関する情報であり、例えば、「所定の期間かけて脈拍数をＡからＢへ上昇させるために、時速Ｃｋｍ程度の速度でジョギングすること」等である。次に、携帯電話端末１１の外部アクセス管理部８１は、受け取った健康管理情報を表示部（図示せず）に表示させる（Ｓ１８）。次に、外部アクセス管理部８１は、健康を維持するための目標値として、健康管理情報を腕時計５１へ送信する（Ｓ１９）。次に、腕時計５１のセンサ管理部５３は、受け取った健康管理情報を表示部５２へ表示させる（Ｓ２０）。これにより、腕時計を身につけているユーザは、健康管理情報を確認することができる。
【００４３】
以上説明したように、本発明の実施の形態１にかかる携帯電話端末１１を用いることにより、腕時計５１と、サーバ装置７０とは、携帯電話端末１１の端末内サーバに設定されているＵＲＬにアクセスすることができる。そのため、携帯電話端末１１は、腕時計５１とサーバ装置７０との間の通信を中継することができる。さらに、携帯電話端末１１は、腕時計５１において検出されたセンサデータと、携帯電話端末１１に内蔵されたセンサにおいて検出されたセンサデータとをサーバ装置７０に送信することができる。これより、サーバ装置７０は、これらのセンサデータを用いて健康管理情報を生成することができるため、腕時計５１において検出されたセンサデータのみを用いる場合と比較して、効果的な健康管理情報を提供することができる。
【００４４】
また、腕時計５１やサーバと通信を行い、データを送受信し、またデータの表示、蓄積等を行う専用のアプリケーションを作成して携帯電話端末１１を動作させる場合と比較して、端末内サーバを用いる本発明は、次のような効果を生じる。端末内サーバが腕時計５１から送信されたデータを受信し、またサーバ装置７０と通信を行う場合、腕時計５１から受け取ったデータと携帯電話端末１１に内蔵されたセンサが検出したデータとを同期させてサーバ装置７０へ送信したり、また、サーバ装置７０から受け取った健康管理情報を腕時計５１へ送信したりする処理について、ユーザが携帯電話端末１１を操作するといった明示的なユーザの介在が不要となる。つまり、ユーザが特別な操作をすることなく、携帯電話端末１１が動作しているバックグランドで自動的に処理が実行される。そのため、ユーザは、操作するための手間がかからないため、毎日日常的に健康管理をしやすいというメリットがある。
【００４５】
また、上記の説明においては、センサ機器５０として腕時計５１を用いて説明したが、ＨＴＴＰメッセージを用いて外部アクセス管理部８１のＷｅｂＡＰＩを実行できるものであれば、センサ機器５０として多様な機器を用いることができる。
【００４６】
例えば、家庭内の血圧計、体脂肪計、体組成計といった健康機器からそのユーザの測定データを携帯電話端末１１へ送信し、健康管理情報の生成に役立てることができる。また、体感型のゲーム機等を用いてゲームを実行した際の消費カロリーを携帯電話端末１１へ送信することもできる。また、アスレチックジムにおけるエアロバイクのような運動器具からの運動実績データや、心拍数の計測結果等を携帯電話端末１１へ送信することもできる。
【００４７】
（実施の形態２）
続いて、図５を用いて本発明の実施の形態２にかかる健康情報提供サービスを受ける場合の処理の流れについて説明する。ステップＳ２１〜Ｓ２４の処理は、図４におけるステップＳ１１〜Ｓ１４の処理と同様であるため、説明を省略する。
【００４８】
次に、サーバ装置７０は、パーソナルコンピュータ等から、健康分析サービスの実行要求を受け取る（Ｓ２５）。健康分析サービスとは、パーソナルコンピュータ等において健康を維持するためのアドバイスを受けることができるサービスである。
【００４９】
次に、サーバ装置７０は、携帯電話端末１１の端末内サーバに対して直近に収集されたセンサデータの送付を要求するための信号を送信する（Ｓ２６）。次に、携帯電話端末１１のセンサデータ統合管理部８２は、公衆ネットワーク通信部４０を介して統合データをサーバ装置７０へ送信する（Ｓ２７）。ステップＳ２８乃至Ｓ３２は、図４におけるステップＳ１６乃至Ｓ２０と同様であるため、説明を省略する。
【００５０】
以上説明したように、本発明の実施の形態２にかかる携帯電話端末１１を用いることにより、サーバ装置７０が起点となるセンサデータの送付要求に応えることができる。これは、携帯電話端末１１が端末内サーバを有し、サーバ装置７０からのアクセスを受け付けることができるからである。また、携帯電話端末１１の端末内サーバにおいてＷｅｂコンテンツを作成し、自宅のパーソナルコンピュータ等から端末内サーバへアクセスすることにより、センサデータや健康管理情報を表示させて確認することもできる。
【００５１】
なお、本発明は上記実施の形態に限られたものではなく、趣旨を逸脱しない範囲で適宜変更することが可能である。
【００５２】
以上、実施の形態を参照して本願発明を説明したが、本願発明は上記によって限定されるものではない。本願発明の構成や詳細には、発明のスコープ内で当業者が理解し得る様々な変更をすることができる。
【００５３】
この出願は、２０１１年１月１９日に出願された日本出願特願２０１１−００８５５８を基礎とする優先権を主張し、その開示の全てをここに取り込む。
【符号の説明】
【００５４】
１０  移動通信装置
１１  携帯電話端末
２０  生体情報受信部
３０  センサ部
３２  携帯センサ管理部
４０  公衆ネットワーク通信部
５０  センサ機器
５１  腕時計
５２  表示部
５３  センサ管理部
５４  センサ部
５５  通信部
６０  公衆ネットワーク
７０  サーバ装置
７１  データ保存部
７２  センサデータ管理分析部
７３  通信部
８１  外部アクセス管理部
８２  センサデータ統合管理部
８３  センサ情報記憶部
【図１】
2012098601.tif 000003
【図２】
2012098601.tif 000004
【図３】
2012098601.tif 000005
【図４】
2012098601.tif 000006
【図５】
2012098601.tif 000007
【国際調査報告】
2012098601.tif 000008
2012098601.tif 000009
2012098601.tif 000010
2012098601.tif 000011